【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
マルチレイヤビデオデータの第１のレイヤの第１のピクチャのピクチャ順序カウント（ＰＯＣ）値のためのＰＯＣリセットを示すデータを復号することと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、復号ピクチャバッファ（ＤＰＢ）に記憶されたすべてのピクチャのＰＯＣ値をデクリメントすることと
を備える方法。
【請求項２】
前記第１のピクチャに時間的に先行する、前記ＤＰＢに記憶されたすべてのピクチャの前記ＰＯＣ値をデクリメントすることが、前記アクセスユニットの復号中に１回のみ、前記ＰＯＣ値をデクリメントすることを備える、請求項１に記載の方法。
【請求項３】
前記ＰＯＣ値をデクリメントすることが、前記第１のピクチャのビデオデータの初期スライスのためのスライスヘッダを復号した後、前記ＰＯＣ値をデクリメントすることを備える、請求項１に記載の方法。
【請求項４】
前記ＰＯＣリセットを示す前記データを復号することが、ビデオデータの前記第１のピクチャのスライスのためのＰＯＣリセットインデックスを表すデータを復号することを備える、請求項１に記載の方法。
【請求項５】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、請求項１に記載の方法。
【請求項６】
前記第１のピクチャが、前記アクセスユニット中に存在する最下位レイヤ識別子に関連付けられたピクチャであり、ここにおいて、前記ＰＯＣ値をデクリメントすることが、共通のＰＯＣデクリメント値を使用して、前記ＰＯＣ値をデクリメントすることを備える、請求項１に記載の方法。
【請求項７】
前記ＰＯＣ値をデクリメントするためのＰＯＣデクリメント値を示す、ＤｅｌｔａＰｏｃＶａｌシンタックス要素を復号することをさらに備える、請求項６に記載の方法。
【請求項８】
前記アクセスユニットが、前記第１のピクチャと少なくとも１つの追加のピクチャとを含み、ここにおいて、前記ＰＯＣリセットを示す前記データが、ＰＯＣリセットインデックスを備え、前記方法が、前記アクセスユニットの前記少なくとも１つの第２のピクチャを含む、前記アクセスユニットのすべての他のピクチャのために、同じＰＯＣリセットインデックスを復号することをさらに備える、請求項１に記載の方法。
【請求項９】
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備える、請求項１に記載の方法。
【請求項１０】
前記ＰＯＣリセット値を示す前記データが、前記マルチレイヤビデオデータのすべてのレイヤに適用可能であるＰＯＣリセット期間に関連付けられる、請求項１に記載の方法。
【請求項１１】
ビデオデータを符号化する方法であって、
マルチレイヤビデオデータの第１のレイヤの第１のピクチャのピクチャ順序カウント（ＰＯＣ）値のためのＰＯＣリセットを示すデータを符号化することと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、復号ピクチャバッファ（ＤＰＢ）に記憶されたすべてのピクチャのＰＯＣ値をデクリメントすることと
を備える方法。
【請求項１２】
前記第１のピクチャに時間的に先行する、前記ＤＰＢに記憶されたすべてのピクチャの前記ＰＯＣ値をデクリメントすることが、前記アクセスユニットの符号化中に１回のみ、前記ＰＯＣ値をデクリメントすることを備える、請求項１１に記載の方法。
【請求項１３】
前記ＰＯＣ値をデクリメントすることが、前記第１のピクチャのビデオデータの初期スライスのためのスライスヘッダを符号化した後、前記ＰＯＣ値をデクリメントすることを備える、請求項１１に記載の方法。
【請求項１４】
前記ＰＯＣリセットを示す前記データを符号化することが、ビデオデータの前記第１のピクチャのスライスのためのＰＯＣリセットインデックスを表すデータを符号化することを備える、請求項１１に記載の方法。
【請求項１５】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、請求項１１に記載の方法。
【請求項１６】
前記第１のピクチャが、前記アクセスユニット中に存在する最下位レイヤ識別子に関連付けられたピクチャであり、ここにおいて、前記ＰＯＣ値をデクリメントすることが、同じＰＯＣデクリメント値を使用して、前記ＰＯＣ値をデクリメントすることを備える、請求項１１に記載の方法。
【請求項１７】
前記ＰＯＣ値をデクリメントするための前記ＰＯＣデクリメント値を示す、ＤｅｌｔａＰｏｃＶａｌシンタックス要素を符号化することをさらに備える、請求項１６に記載の方法。
【請求項１８】
前記アクセスユニットが、前記第１のピクチャと少なくとも１つの第２のピクチャとを含み、ここにおいて、前記ＰＯＣリセットを示す前記データが、ＰＯＣリセットインデックスを備え、前記方法が、前記アクセスユニットの前記少なくとも１つの第２のピクチャを含む、前記アクセスユニットのすべての他のピクチャのために、同じＰＯＣリセットインデックスを符号化することをさらに備える、請求項１１に記載の方法。
【請求項１９】
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備える、請求項１１に記載の方法。
【請求項２０】
前記ＰＯＣリセット値を示す前記データが、前記マルチレイヤビデオデータのすべてのレイヤに適用可能であるＰＯＣリセット期間に関連付けられる、請求項１１に記載の方法。
【請求項２１】
ビデオデータをコーディングするためのデバイスであって、
マルチレイヤビデオデータを記憶するように構成された復号ピクチャバッファ（ＤＰＢ）を備えるメモリと、
前記マルチレイヤビデオデータの第１のレイヤの第１のピクチャのピクチャ順序カウント（ＰＯＣ）値のためのＰＯＣリセットを示すデータをコーディングすることと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、前記ＤＰＢに記憶されたすべてのピクチャのＰＯＣ値をデクリメントすることと
を行うように構成されたビデオコーダと
を備えるデバイス。
【請求項２２】
前記第１のピクチャに時間的に先行する、前記ＤＰＢに記憶されたすべてのピクチャの前記ＰＯＣ値をデクリメントするために、前記ビデオコーダが、前記アクセスユニットのコーディング中に１回のみ、前記ＰＯＣ値をデクリメントするように構成される、請求項２１に記載のデバイス。
【請求項２３】
前記ＰＯＣ値をデクリメントするために、前記ビデオコーダが、前記第１のピクチャのビデオデータの初期スライスのためのスライスヘッダを符号化した後、前記ＰＯＣ値をデクリメントするように構成される、請求項２１に記載のデバイス。
【請求項２４】
前記ＰＯＣリセットを示す前記データをコーディングするために、前記ビデオコーダが、ビデオデータの前記第１のピクチャのスライスのためのＰＯＣリセットインデックスを表すデータをコーディングするように構成される、請求項２１に記載のデバイス。
【請求項２５】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、請求項２１に記載のデバイス。
【請求項２６】
前記第１のピクチャが、前記アクセスユニット中に存在する最下位レイヤ識別子に関連付けられたピクチャであり、ここにおいて、前記ＰＯＣ値をデクリメントするために、前記ビデオコーダが、同じＰＯＣデクリメント値を使用して、前記ＰＯＣ値をデクリメントするように構成される、請求項２１に記載のデバイス。
【請求項２７】
前記ビデオコーダが、前記ＰＯＣ値をデクリメントするための前記ＰＯＣデクリメント値を示す、ＤｅｌｔａＰｏｃＶａｌシンタックス要素をコーディングするようにさらに構成される、請求項２６に記載のデバイス。
【請求項２８】
前記アクセスユニットが、前記第１のピクチャと少なくとも１つの第２のピクチャとを含み、ここにおいて、前記ＰＯＣリセットを示す前記データが、ＰＯＣリセットインデックスを備え、ここにおいて、前記ビデオコーダが、前記アクセスユニットの前記少なくとも１つの第２のピクチャを含む、前記アクセスユニットのすべての他のピクチャのために、同じＰＯＣリセットインデックスをコーディングするようにさらに構成される、請求項２１に記載のデバイス。
【請求項２９】
前記ＰＯＣ値をデクリメントすることが、前記ＰＯＣ値のすべてのビットをデクリメントすること、前記ＰＯＣ値の最上位ビットをデクリメントすること、または前記ＰＯＣ値の最下位ビットをデクリメントすることのうちの１つを備える、請求項２１に記載のデバイス。
【請求項３０】
前記ＰＯＣリセット値を示す前記データが、前記マルチレイヤビデオデータのすべてのレイヤに適用可能であるＰＯＣリセット期間に関連付けられる、請求項２１に記載のデバイス。
【請求項３１】
前記デバイスが、
集積回路、
マイクロプロセッサ、または
ワイヤレス通信デバイス
のうちの少なくとも１つを備える、請求項２１に記載のデバイス。
【請求項３２】
ビデオデータをコーディングするためのデバイスであって、
マルチレイヤビデオデータの第１のレイヤの第１のピクチャのピクチャ順序カウント（ＰＯＣ）値のためのＰＯＣリセットを示すデータをコーディングするための手段と、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、前記ＤＰＢに記憶されたすべてのピクチャのＰＯＣ値をデクリメントするための手段と
を備えるデバイス。
【請求項３３】
前記第１のピクチャに時間的に先行する、前記ＤＰＢに記憶されたすべてのピクチャの前記ＰＯＣ値をデクリメントするための前記手段が、前記アクセスユニットのコーディング中に１回のみ、前記ＰＯＣ値をデクリメントするための手段を備える、請求項３２に記載のデバイス。
【請求項３４】
前記ＰＯＣ値をデクリメントするための前記手段が、前記第１のピクチャのビデオデータの初期スライスのためのスライスヘッダを符号化した後、前記ＰＯＣ値をデクリメントすることを備える、請求項３２に記載のデバイス。
【請求項３５】
前記ＰＯＣリセットを示す前記データをコーディングするための前記手段が、ビデオデータの前記第１のピクチャのスライスのためのＰＯＣリセットインデックスを表すデータをコーディングするための手段を備える、請求項３２に記載のデバイス。
【請求項３６】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、請求項３２に記載のデバイス。
【請求項３７】
命令を記憶した非一時的コンピュータ可読記憶媒体であって、前記命令が、実行されると、ビデオデータをコーディングするためのデバイスのプロセッサに、
マルチレイヤビデオデータの第１のレイヤの第１のピクチャのピクチャ順序カウント（ＰＯＣ）値のためのＰＯＣリセットを示すデータをコーディングすることと、ここにおいて、前記第１のピクチャがアクセスユニット中に含まれる、
前記第１のピクチャの前記ＰＯＣ値のための前記ＰＯＣリセットを示す前記データに基づいて、および、前記第１のピクチャを復号するより前に、前記マルチレイヤビデオデータの第２のレイヤの少なくとも１つのピクチャを含む、コーディング順序において前記第１のピクチャに先行する、前記ＤＰＢに記憶されたすべてのピクチャのＰＯＣ値をデクリメントすることと
を行わせる、非一時的コンピュータ可読記憶媒体。
【請求項３８】
前記第１のピクチャに時間的に先行する、前記ＤＰＢに記憶されたすべてのピクチャの前記ＰＯＣ値をデクリメントするために、前記命令が前記プロセッサに、前記アクセスユニットのコーディング中に１回のみ、前記ＰＯＣ値をデクリメントすることを行わせる、請求項３７に記載の非一時的コンピュータ可読記憶媒体。
【請求項３９】
前記ＰＯＣ値をデクリメントするために、前記命令が前記プロセッサに、前記第１のピクチャのビデオデータの初期スライスのためのスライスヘッダを符号化した後、前記ＰＯＣ値をデクリメントすることを行わせる、請求項３７に記載の非一時的コンピュータ可読記憶媒体。
【請求項４０】
前記ＰＯＣリセットを示す前記データをコーディングするために、前記命令が前記プロセッサに、ビデオデータの前記第１のピクチャのスライスのためのＰＯＣリセットインデックスを表すデータをコーディングすることを行わせる、請求項３７に記載の非一時的コンピュータ可読記憶媒体。
【請求項４１】
前記ＰＯＣリセットを示す前記データが、ＰＯＣリセット期間を示すデータを備え、ここにおいて、前記アクセスユニットが、前記ＰＯＣリセット期間の復号順序における最初のアクセスユニットである、請求項３７に記載の非一時的コンピュータ可読記憶媒体。